(57)【特許請求の範囲】
【請求項１】
有機廃棄物および／または廃棄物（Ｂ）、特にバイオガスプラントからの廃棄物、スラリーなど、切断された若しくは植物性の廃棄物、および／または下水汚泥、を処理するためのシステム（Ｓ）であって、当該システム（Ｓ）は、
有機廃棄物（Ｂ）から不純物を除去するための装置（１）と、
不純物を除去するための前記装置（１）の下流に配置された、有機廃棄物（Ｂ）を粉砕するための装置（２）と、
不純物を除去するための前記装置（１）および／または有機廃棄物（Ｂ）を粉砕するための前記装置（２）の下流に配置された、水熱炭化を使用して有機廃棄物（Ｂ）を処理生成物である石炭（Ｋ）およびプロセス水（Ｐ）に変換するための装置（３）と、
有機廃棄物（Ｂ）を処理生成物である石炭（Ｋ）およびプロセス水（Ｐ）に変換するための前記装置（３）の下流に配置された、特にチャンバ・フィルタ・プレスまたは遠心分離機であるところの、水熱炭化から得られた処理生成物である石炭（Ｋ）およびプロセス水（Ｐ）を分離するための装置（４）と、
処理生成物として得られた石炭（Ｋ）を乾燥させるための装置（５）であって、最終的に前記石炭（Ｋ）の乾燥から生じるプロセス水（Ｐ）が水熱炭化によって得られた前記プロセス水に搬送されると共に、石炭（Ｋ）を乾燥させるための当該装置（５）は、処理生成物である石炭（Ｋ）とプロセス水（Ｐ）とを分離するための前記装置（４）の下流に配置されている、装置（５）と、
処理生成物である石炭（Ｋ）とプロセス水（Ｐ）とを分離するための前記装置（４）の下流に配置された、肥料の製造のために負圧を用いた濃縮によって、処理生成物として得られたプロセス水（Ｐ）を少なくとも部分的に真空蒸留するための装置（９）と、
を備えており、
前記装置（９）が、
前記プロセス水（Ｐ）に含まれる揮発性アンモニアを真空蒸留するための装置と、
蒸留されたアンモニアを適切な酸、特に硫酸と混合して肥料として使用可能な硫酸アンモニウムを製造するための装置とを備えている、ことを特徴とするシステム。
【請求項２】
前記石炭（Ｋ）を乾燥させるための前記装置（５）の下流に配置された、特に木材／石炭ガス化装置であるところの、乾燥された石炭（Ｋ）を合成ガスに少なくとも部分的に変換するための装置（７）を更に備えることを特徴とする、請求項１に記載のシステム。
【請求項３】
乾燥された石炭（Ｋ）を少なくとも部分的に合成ガスに変換する前記装置（７）の下流に配置された、発電機、特に二燃料エンジンを使用して電気エネルギーを生成するために合成ガスを利用するための装置（８）を更に備えることを特徴とする、請求項２に記載のシステム。
【請求項４】
石炭（Ｋ）を乾燥させるための前記装置（５）と、乾燥された石炭（Ｋ）を少なくとも部分的に合成ガスに変換するための前記装置（７）との間に配置された、石炭（Ｋ）を貯蔵または一時的に貯蔵するための装置（６）を更に備えることを特徴とする、請求項３に記載のシステム。
【請求項５】
発電機を使用して電気エネルギーを生成するために合成ガスを利用するための前記装置（８）用の入口空気として、石炭（Ｋ）を乾燥させるための前記装置（５）から生じる排出空気（Ｌ）が使用されることを特徴とする、請求項３または４に記載のシステム。
【請求項６】
発電機を使用して電気エネルギーを生成するために合成ガスを利用するための前記装置（８）によって生成される廃熱（Ｗ）が、プロセス水（Ｐ）を少なくとも部分的に真空蒸留するための前記装置（９）、および／または、水熱炭化を使用して有機廃棄物（Ｂ）を処理生成物である石炭（Ｋ）およびプロセス水（Ｐ）に変換するための前記装置（３）の熱源として使用されることを特徴とする、請求項３〜５のいずれか一項に記載のシステム。
【請求項７】
乾燥された石炭（Ｋ）を合成ガスに少なくとも部分的に変換するための装置（７）によって使用されない石炭（Ｋ）が、本発明のシステムの外でさらに使用するために提供されることを特徴とする、請求項３〜６のいずれか一項に記載のシステム。
【請求項８】
発電機を使用して電気エネルギーを生成するために合成ガスを利用するための前記装置（８）によって使用されない合成ガスが、本発明のシステムの外でさらに使用するために提供されることを特徴とする、請求項３〜７のいずれか一項に記載のシステム。
【請求項９】
水熱炭化を使用して有機廃棄物（Ｂ）を処理生成物である石炭（Ｋ）およびプロセス水（Ｐ）に変換するための前記装置（３）が、前記有機廃棄物（Ｂ）から化学的に結合したミネラルを分離拡散させ、これらのミネラルを前記プロセス水（Ｐ）内に保持するための装置を備えることを特徴とする、請求項１〜８のいずれか一項に記載のシステム。
【請求項１０】
肥料の製造のために負圧を用いた濃縮によって、処理生成物として得られるプロセス水（Ｐ）を少なくとも部分的に真空蒸留するための装置（９）が、展延可能な肥料の製造のためにプロセス水（Ｐ）に含まれる水を完全に蒸発させるための装置を備える、請求項１〜９のいずれか一項に記載のシステム。
【請求項１１】
外部源、特に熱コンセプトのないバイオガスプラントから導入された廃熱（Ｅ）が、少なくとも部分的に真空蒸留するための前記装置（９）、および／または、有機廃棄物（Ｂ）を水熱炭化を用いて処理生成物である石炭（Ｋ）およびプロセス水（Ｐ）に変換するための前記装置（３）のための熱源として使用されることを特徴とする、請求項１〜１０のいずれか一項に記載のシステム。
【請求項１２】
少なくとも部分的に真空蒸留するための前記装置（９）によって使用されないプロセス水（Ｐ）が、水生植物を使用する装置（１０）によって利用されることを特徴とする、請求項１〜１１のいずれか一項に記載のシステム。
【発明の詳細な説明】
【技術分野】
【０００１】
本発明は、有機廃棄物および／または廃棄物、特にバイオガスプラントからの廃棄物、スラリーなど、植物性廃棄物および／または下水汚泥を処理するためのシステムに関するものである。
【背景技術】
【０００２】
バイオマスからのそれぞれの有機廃棄物および／または廃棄物から石炭またはガスを水熱炭化によって容易に生成し、それによりエネルギーを放出することは、従来（技術）から知られている。このプロセスでは、バイオマスは、加圧容器内にて水で加熱され、乾式バイオマスを湿潤バイオマスと同様に処理することができる。
【０００３】
バイオマスが充填された圧力容器内で、数時間後に出発物質の炭素が完全に変換される発熱反応が行われ、それにより褐炭を生成する。この物理化学的プロセスでは、元のバイオマスに含まれる炭素の約１００％およびエネルギーの３分の２が保存されている。気候に害を及ぼすＣＯ２やメタンの排出はない。
【０００４】
水熱炭化の別の生成物として、植物の成長に貴重な栄養素を含む、いわゆるＨＴＣプロセス水が出現する。このプロセス水は、たとえば、短時間に大量の追加のバイオマスを生産するために使用される。
【先行技術文献】
【特許文献】
【０００５】
【特許文献１】（特になし）
【発明の概要】
【発明が解決しようとする課題】
【０００６】
現状技術から知られている技術の欠点は、ＨＴＣプロセス水がバイオマス成長の促進に直ちに使用され、植物の成長に必要な栽培面積の大きさのために、水熱炭化プロセスから生じる全ＨＴＣプロセス水の経済的に利益が得られる完全な使用の可能性が使用できないことである。
【課題を解決するための手段】
【０００７】
この点に鑑み、本発明の目的は、有機廃棄物および／または廃棄物の処理のための改良されたシステムを開発することであり、全体的な効率を改善し、水熱炭化処理から得られるすべての反応生成物の使用を可能な限り促進することにある。
【０００８】
技術的解決策として、本発明は、有機廃棄物および／または廃棄物、特にバイオガスプラントからの廃棄物、スラリー等、切断された廃棄物もしくは植物性廃棄物、および／または下水汚泥を処理するためのシステムであって、有機廃棄物から不純物を除去するための任意の装置；不純物を除去するための任意の装置の下流に配置された、有機廃棄物を粉砕するための任意の装置；不純物を除去するための任意の装置および／または有機廃棄物を粉砕するための任意の装置の下流に配置された、水熱炭化を使用して有機廃棄物を処理生成物である石炭およびプロセス水に変換するための装置；水熱炭化から生じる処理生成物である石炭およびプロセス水を分離するための装置、特にチャンバ・フィルタ・プレスまたは遠心分離機であって、有機廃棄物を処理生成物である石炭およびプロセス水に変換するための装置の下流に配置される装置；処理生成物として得られた石炭を乾燥および任意で練炭化するための装置であって、石炭の乾燥および任意の練炭化から最終的に生じるプロセス水が水熱炭化によって得られるプロセス水に搬送され、処理生成物である石炭とプロセス水を分離するための装置の下方に配置される装置；および、肥料を製造するために負圧を用いて濃縮することによって処理生成物として得られるプロセス水を少なくとも部分的に真空蒸留する装置であって、処理生成物である石炭およびプロセス水を分離するための装置の下流に配置される装置；を備えるシステムを提供する。
【０００９】
本発明は、水熱炭化のプロセスから生じるプロセス水の浄化が負圧で濃縮することによって達成され、したがって、多くのスペースが必要なプラントを用いた浄水は必ずしも実現される必要がないという洞察を利用している。
【００１０】
さらに、目的とする技術的問題の本発明の解決策は、負圧で濃縮するプロセスから得られる肥料が未処理のプロセス水よりもはるかに良好に輸送可能であるため、水熱炭化プロセスの処理生成物の輸送に関してさらなる利点を有する。
【００１１】
本発明の有利な実施形態によれば、乾燥され任意で練炭化された石炭を合成ガスに少なくとも部分的に変換するための装置、特に木材／石炭ガス化装置が提供され、この装置は、石炭を乾燥および任意で練炭化する装置の下流に配置される。このような装置の実施は、具体的には、合成ガスに関するエネルギー源が処理生成物として必要とされる場合に可能である。さらに、石炭と比較して、合成ガスの管理容易性および輸送に関する利点がある。
【００１２】
本発明のさらなる有利な実施形態では、発電機、特に二燃料エンジンを使用して電気エネルギーを生成するために合成ガスを利用するための装置が提供され、これは乾燥され任意で練炭化された石炭の少なくとも一部を合成ガスに変換するための装置の下流に配置される。これにより、利用可能なインフラストラクチャーが電気エネルギーの輸送に使用できるので、水熱炭化の手順を使用して生成されたエネルギーのより良い分配を可能にする。したがって、本発明のシステムは、電気エネルギーおよび熱エネルギーの分散生産に使用することができる。
【００１３】
さらに、本発明の有利な実施形態は、石炭を貯蔵または一時的に貯蔵するための装置であって、石炭を乾燥させ任意で練炭化するための装置と、乾燥され任意で練炭化された石炭を少なくとも部分的に合成ガスに変換するための装置との間に配置される装置を提供する。これは、乾燥され任意で練炭化された石炭を合成ガスに変換するための装置が、石炭を合成ガスに直ちに変換し、電気エネルギーや熱エネルギーの供給に対する様々な要求を満たすほど十分には大きくないという条件の下で有利である。好ましくは、貯蔵または一時的な貯蔵は、処理生成物として得られた石炭を乾燥させ任意で練炭化するための装置から乾燥され任意で練炭化された石炭を合成ガスに変換するための装置への、自動搬送システムを使用した自動輸送のための装置を含むように設計され構成されており、そのため本発明のシステムへの手動の介入は時代遅れになる。
【００１４】
本発明の別の有利な設計によれば、発電機を使用して電気エネルギーを生成するために合成ガスを利用するための装置用の入口空気として、石炭を乾燥させ任意で練炭化するための装置から生じる排出空気が使用される。したがって、乾燥プロセスから生じる恐れがある気候に有害なガスの排出が、たとえば、排気から蒸発するフェノールが合成ガスを燃料として利用する装置のエンジン内で役立つため、避けられる。したがって、排出空気、それぞれ排出空気に起因する排出物の別の（追加の）浄化は必要ではない。
【００１５】
本発明の別の有利な実施形態では、発電機を使用して電気エネルギーを生成するために合成ガスを利用するための装置によって生成される廃熱は、プロセス水の少なくとも部分的な真空蒸留のための装置、および／または水熱炭化を使用して有機廃棄物を処理生成物である石炭およびプロセス水に変換するための装置のための熱源として使用される。いずれにしても、プロセスから出る廃熱のこのような使用によって、本発明のシステムのエネルギーバランスを増加させることができる。その結果、水熱炭化によるバイオマス廃棄物の転換装置および／または負圧による濃縮によって処理された生成物として得られるプロセス水の部分的または完全な真空蒸留のための装置のための別個の熱源は、必要ではない。好ましくは、合成ガスの使用により生じる廃熱は、処理生成物として得られた石炭を乾燥させ練炭化するための装置用の熱源として使用される。
【００１６】
本発明の有利な実施形態では、乾燥され任意で練炭化された石炭を合成ガスに少なくとも部分的に変換するための装置によって使用されない石炭は、本発明のシステム外でさらに使用するために提供される。このような使用は、たとえば石炭のコークス化または液化が行われる石炭の処理であり得る。
【００１７】
本発明の別の有利な実施形態では、発電機を使用して電気エネルギーを生成するために合成ガスを利用するための装置によって使用されない合成ガスが、本発明のシステム外でさらに使用するために提供される。たとえば、本発明内で使用されない合成ガスはその後、市場化および流通に適したガラス瓶またはガス容器に瓶詰めすることができる。
【００１８】
好ましくは、水熱炭化を使用して有機廃棄物を処理生成物である石炭およびプロセス水に変換するための装置は、有機廃棄物から化学的に結合したミネラルを分注し、これらのミネラルをプロセス水中に保持するための装置を含む。このように、プロセス水中に含まれるミネラルが、水熱炭化の結果生じる石炭とともにさらに処理されるのではなく、プロセス水中に残り、そこから、さらに下流で、処理生成物であるプロセス水を真空蒸留するための装置によって、プロセス水を負圧で濃縮することによって肥料を製造することができ、これは植物の栄養供給に役立ち得るので、これは特に有利である。
【００１９】
本発明の別の特に有利な実施形態では、肥料の製造のために負圧を用いて濃縮することによって処理生成物として得られるプロセス水の少なくとも部分的な真空蒸留のための装置が、プロセス水中に含まれる揮発性アンモニウムの真空蒸留のための装置および肥料として使用可能な硫酸アンモニウムを製造するための、蒸留されたアンモニウムと適切な酸、特に硫酸との後の混合のための装置を備えることが提供される。したがって、具体的にはプロセス水に含まれる硝酸塩の成分を除去することが可能である。濃縮することに依存して、プロセス水中に含まれる他の全てのミネラルは、溶液中の基本肥料として投入材料の３〜５体積％で水中に残り、これらのミネラルは多量栄養素のリン、カリウム、酸化カルシウムおよび炭素、ならびに微量栄養素のマグネシウム、マンガン、ホウ酸などでありうる。
【００２０】
本発明の別の有利な実施形態では、肥料の製造のために負圧を用いて濃縮することによって処理生成物として得られたプロセス水を少なくとも部分的に真空蒸留するための装置は、展延可能な肥料の製造のためにプロセス水に含まれる水を完全に蒸発させる装置を備える。このような進行方法は、たとえば搬送のために、および蒸留水の局所的な使用の可能性がない場合、展延可能な肥料が好ましいという条件の下で有利である。
【００２１】
本発明のシステムの別の有利な実施形態では、外部供給源から、特に熱コンセプトのないバイオガスプラントから導入される廃熱が、少なくとも部分的な真空蒸留のための装置および／または水熱炭化を使用して有機廃棄物を処理生成物である石炭およびプロセス水に変換するための装置の任意の熱源として使用される。このようにして、特定の状況下で発生しうる負のエネルギーバランスは、本発明のシステムの熱供給に関して補償され、効率的な方法で加熱概念なしにバイオガスプラントから生じる廃熱を使用することが可能になる。
【００２２】
本発明のシステムの別の有利な実施形態では、少なくとも部分的な真空蒸留のための装置によって使用されないプロセス水は、好ましくは自動収穫の温室を使用する水生植物を使用する装置によって利用される。これは、特に、肥料およびプロセス水の製造にそれぞれ他のプロセス水が必要でないという条件下で、プロセス水に含まれる栄養素はエネルギー効率の良い方法で使用されなければならないという条件の下で理にかなっている。水生植物によるプロセス水の使用により、水の浄化が行われ、Ｃ４水の植物がこの目的に特に適しており、その成長によって、一方では大気からＣＯ２を取り込み、したがってＣＯ２吸収源として役立ち、他方では、本発明のシステムのための投入材料として役立ち、したがって、エネルギーに変換することができる、追加的なバイオマスが生成される。
【００２３】
本発明の更なる詳細、特徴および利点は、図に示すような実施例を用いて、後に説明される。
【図面の簡単な説明】
【００２４】
【図１】有機廃棄物および／または廃棄物を処理するための本発明のシステムのブロック図。
【発明を実施するための形態】
【００２５】
図１は、有機廃棄物および／または廃棄物Ｂの処理のための本発明のシステムＳを概略ブロック図で示す。システムＳは、バイオマスＢが有機廃棄物または廃棄物Ｂの形で導かれる有機廃棄物Ｂから不純物を除去するための装置１を含む。不純物が削減または除去された後、バイオマスは、有機廃棄物Ｂを粉砕するための装置２でさらに処理される。粉砕は、その後の加速された更なる処理に役立つ。有機廃棄物／廃棄物Ｂを粉砕した後、工程３において、有機廃棄物／廃棄物Ｂの水熱炭化による処理生成物である石炭Ｋおよびプロセス水Ｗへの変換が行われる。このとき、２つの処理生成物は、水分のある石炭スラッジの形態で本発明のシステムＳに提供され、これら２つの処理生成物の分離が必要とされる。このような分離は次に、水熱炭化によりバイオマスを変換するための装置３の直後において、水熱炭化により生じる処理生成物である石炭Ｋとプロセス水Ｗの分離に役立つ装置４で行われる。この図では、このような装置４は、特に分離に適したチャンバ・フィルタ・プレスまたは遠心分離機の形態で具現される。
【００２６】
本発明のシステム内の処理生成物としてさらに処理される石炭については、処理生成物として得られた石炭Ｋを乾燥させ任意的には練炭化するための装置５が設けられており、石炭Ｋの乾燥および任意の練炭化から最終的に生じるプロセス水が、水熱炭化により得られたプロセス水Ｐに運ばれる。次のステップでは、乾燥された石炭Ｋを、乾燥され任意で練炭化された石炭Ｋを合成ガスに少なくとも部分的に変換するための装置７を用いてさらに処理する。ここで、石炭Ｋの貯蔵または一時的な貯蔵のための装置６が任意的に提供されてもよい。このような装置６は、石炭の一定のシェア（割合）だけがさらに処理され、別のシェア（割合）は市場に出され、未変化の形で分配されるという条件の下で特に意味をなす。乾燥され任意で練炭化された石炭Ｋを合成ガスに少なくとも部分的に変換するための装置７の下流に配置された、発電機を使用して電気エネルギーを生成するために合成ガスを利用するための装置８が、本発明のシステムＳに備えられるが、これは、石炭Ｋおよび／または合成ガスの使用が望ましくないという条件の下では、電気エネルギーをエネルギー源として生成することができるからである。発電機を用いて電気エネルギーを生成するために合成ガスを利用するための装置８用の入口空気として、石炭Ｋを乾燥させ任意で練炭化するための装置５から生じる排出空気Ｌが使用されるが、これは、排出空気内に含まれる排出物（例えばフェノール）がエンジンの燃料として役立ちうるからである。
【００２７】
本発明のシステムＳ内で生成されたプロセス水Ｐは、肥料製造のために負圧を用いて濃縮することによって処理生成物として得られるプロセス水Ｐを少なくとも部分的に真空蒸留するための装置９を用いて濃縮される。この目的のために、肥料の製造のために負圧を用いて濃縮することによって処理生成物として得られるプロセス水Ｐを少なくとも部分的に真空蒸留するための装置９は、プロセス水に含まれる揮発性アンモニアを真空蒸留するための装置と、肥料として使用可能な硫酸アンモニウムの製造のために蒸留されたアンモニウムと好適な酸、特に硫酸とを後で混合するための装置とを含む。さらに、この実施形態では、少なくとも部分的に真空蒸留するための装置９によって使用されないプロセス水Ｐが、水生植物を使用する装置１０によって利用されることが提供される。水生植物は、プロセス水Ｐに含まれる栄養素、それぞれのミネラルを非常にうまく処理する能力を有する。さらに、水生植物は、バイオマスＢとして機能するのに適しており、バイオマスＢは、入力材料として本発明のシステムＳに添加することができる。
【００２８】
本発明のシステムＳのエネルギーバランスシートのさらなる改良のために、この実施のための実施例では、発電機を使用して電気エネルギーを生産するために合成ガスを利用するための装置８によって生成された廃熱Ｗが、プロセス水Ｐを少なくとも部分的に真空蒸留するための装置９、ならびに有機廃棄物Ｂを処理生成物である石炭Ｋおよびプロセス水Ｐへ水熱炭化を用いて変換するための装置３のための熱源として使用される。
【００２９】
更に、所与の実施形態による本発明のシステムＳでは、外部源、特に熱コンセプトのないバイオガスプラントから導入された廃熱Ｅが、水熱炭化を使用して有機廃棄物Ｂを処理生成物である石炭Ｋおよびプロセス水Ｐに変換するための装置３、および／または、少なくとも部分的に真空蒸留するための装置９のための任意の熱源として使用される。したがって、本発明のシステムＳ内で発生し得る排熱の不足を補うことができる。さらに、熱コンセプトのないバイオガスプラントからの余剰廃熱Ｅを賢く利用することができる。
【００３０】
図面に提示された実施形態の例およびこの文脈で説明された実施例は、本発明の説明のためだけに役立つものであり、本発明を限定するものではない。
【符号の説明】
【００３１】
１  有機廃棄物（Ｂ）から不純物を除去するための装置
２  有機廃棄物（Ｂ）を粉砕するための装置
３  水熱炭化を利用して有機廃棄物（Ｂ）を処理生成物である石炭（Ｋ）とプロセス水（Ｐ）に変換するための装置
４  水熱炭化により得られた処理生成物である石炭（Ｋ）とプロセス水（Ｐ）を分離するための装置
５  処理生成物として得られた石炭（Ｋ）を乾燥させ任意で練炭化するための装置
６  石炭（Ｋ）の貯蔵または一時的貯蔵のための装置
７  乾燥され任意で練炭化された石炭（Ｋ）を少なくとも部分的に合成ガスに変換するための装置
８  発電機を使用して電気エネルギーを生産するために合成ガスを利用するための装置
９  肥料製造のために負圧を用いて濃縮することで処理生成物として得られるプロセス水（Ｐ）を少なくとも部分的に真空蒸留するための装置
１０  水生植物によるプロセス水（Ｐ）の少なくとも部分的な使用のための装置。
Ｂ  有機廃棄物および／または廃棄物（Ｂ）の形態のバイオマス
Ｅ  外部源からの排熱（Ｅ）の供給
Ｋ  石炭
Ｌ  処理生成物として得られた石炭（Ｋ）の乾燥および練炭化のための装置（５）から生じる排出空気
Ｐ  プロセス水
Ｓ  有機廃棄物および／または廃棄物（Ｂ）の処理システム
Ｗ  発電機を用いて電気エネルギーを生成するために合成ガスを利用するための装置（８）によって生成された廃熱
【図１】
0006705901.tif 000002